(57)【要約】【課題】４（Ｗ）×１（Ｌ）型オフセット輪転印刷機において、版胴の振動を抑制することが可能な版胴及び印刷胴対並びに該印刷胴対を備えるオフセット輪転印刷機を提供する。【解決手段】新聞の短辺方向の４頁分に相当する長さの印刷領域を軸方向に有し、かつ、新聞の長辺方向の１頁分に相当する長さの印刷領域を周方向に有する周面を有する円柱状の版胴１０が、軸方向の一端部１０ａから中央部１０ｃに亘って軸方向と平行に延びる第１刷版装着用溝１１ａと、軸方向の中央部１０ｃから他端部１０ｂに亘って軸方向と平行に延びる第２刷版装着用溝１１ｂとを有する。第１刷版装着用溝１１ａと第２刷版装着用溝１１ｂとは、版胴１０の周方向に所定の間隔をおいて形成される。【選択図】図１
2016047641.tif 000002
【特許請求の範囲】
【請求項１】
新聞の短辺方向の４頁分に相当する長さの印刷領域を軸方向に有し、かつ、新聞の長辺方向の１頁分に相当する長さの印刷領域を周方向に有する周面を有する円柱状の版胴であって、
軸方向の一端部から中央部に亘って軸方向と平行に延びる第１刷版装着用溝と、軸方向の中央部から他端部に亘って軸方向と平行に延びる第２刷版装着用溝とを有し、
前記第１刷版装着用溝と前記第２刷版装着用溝とが、前記版胴の周方向に所定の間隔をおいて形成されている
ことを特徴とする版胴。
【請求項２】
請求項１に記載の版胴であって、
前記第１刷版装着用溝と前記第２刷版装着用溝とが、前記版胴の周方向に１８０度の間隔をおいて形成されている
ことを特徴とする版胴。
【請求項３】
新聞の短辺方向の４頁分に相当する長さの印刷領域を軸方向に有し、かつ、新聞の長辺方向の１頁分に相当する長さの印刷領域を周方向に有する周面を有する円柱状の版胴と、前記版胴の周方向の長さの整数倍の周方向の長さを有する周面を有する円柱状のブランケット胴とを備える印刷胴対であって、
前記版胴は、該版胴の軸方向の一端部から中央部に亘って軸方向と平行に延びる第１刷版装着用溝と、該第１刷版装着用溝に対して前記版胴の周方向に所定の間隔をおいて形成され、前記版胴の軸方向の中央部から他端部に亘って軸方向と平行に延びる第２刷版装着用溝とを有し、
前記ブランケット胴は、該ブランケット胴の軸方向の一端部から中央部に亘って軸方向と平行に延びる第１ブランケット装着用溝と、前記第１ブランケット装着用溝に対して前記ブランケット胴の周方向に所定の間隔をおいて形成され、前記ブランケット胴の軸方向の中央部から他端部に亘って軸方向と平行に延びる第２ブランケット装着用溝とを有し、
前記ブランケット胴の周方向の長さが前記版胴の周方向の長さのＸ倍で、かつ、前記第１刷版装着用溝と前記第２刷版装着用溝との間隔が前記版胴の軸を中心としてα度であるとした場合に、前記第１ブランケット装着用溝と前記第２ブランケット装着用溝との間隔が、前記ブランケット胴の軸を中心としてα／Ｘ度となるよう構成されている
ことを特徴とする印刷胴対。
【請求項４】
請求項３に記載の印刷胴対であって、
前記ブランケット胴は、前記版胴の周方向の長さの２倍の周方向の長さを有し、
前記第１刷版装着用溝と前記第２刷版装着用溝とが、前記版胴の周方向に１８０度の間隔をおいて形成され、
前記第１ブランケット装着用溝と前記第２ブランケット装着用溝とが、前記ブランケット胴の周方向に９０度の間隔をおいて形成されている
ことを特徴とする印刷胴対。
【請求項５】
請求項３に記載の印刷胴対であって、
前記第１ブランケット装着用溝及び前記第２ブランケット装着用溝は、それぞれ、前記ブランケット胴の周方向に３６０／Ｘ度の間隔をおいて二以上形成されている
ことを特徴とする印刷胴対。
【請求項６】
請求項４に記載の印刷胴対であって、
前記第１ブランケット装着用溝及び前記第２ブランケット装着用溝は、それぞれ、前記ブランケット胴の周方向に１８０度の間隔をおいて２つ形成されている
ことを特徴とする印刷胴対。
【請求項７】
請求項３〜６いずれか１項に記載の印刷胴対を備える
ことを特徴とするオフセット輪転印刷機。
【発明の詳細な説明】
【技術分野】
【０００１】
本発明は、オフセット輪転印刷機に用いられる版胴及び印刷胴対並びに該印刷胴対を備えるオフセット輪転印刷機に関するものである。
【背景技術】
【０００２】
従来、新聞用オフセット輪転印刷機に用いられる印刷ユニットは、多数のインキ供給ローラーを有するインキ供給装置と、刷版が装着される版胴と、ブランケットが装着されるブランケット胴とを備えており、インキ供給装置から供給されたインキが版胴を介してブランケット胴に供給され、ブランケット胴が走行する連続紙（被印刷体）と所定の圧力で接触することにより、連続紙に刷版の内容（文字や画像等）が転写されるよう構成されている。
【０００３】
このような印刷ユニットに用いられる従来の版胴は、軸方向に沿って延びる刷版装着用溝と、刷版装着用溝に連続する内部空間である収容部とが形成されており、刷版装着用溝のエッジ部に刷版の一端部を係止させると共に、収容部に収容された刷版装着装置の刷版装着用係止部材によって刷版の他端部を牽引することにより、刷版を周面に巻き付けるよう構成されている。また、従来のブランケット胴も同様に、軸方向に沿って延びるブランケット装着用溝と、ブランケット装着装置を収容する収容部とが形成されており、ブランケット装着用溝のエッジ部及びブランケット装着装置によってブランケットを周面に巻き付けるよう構成されている。
【０００４】
近年、新聞用オフセット輪転印刷機として、４（Ｗ）×１（Ｌ）の周面を有する版胴（所謂、１倍胴の版胴）と、４（Ｗ）×２（Ｌ）の周面を有するブランケット胴（所謂、２倍胴のブランケット胴）とを備えるオフセット輪転印刷機（以下、「４（Ｗ）×１（Ｌ）型オフセット輪転印刷機」という）が提案されている（例えば特許文献１参照）。ここで、「４（Ｗ）×１（Ｌ）」とは、胴の周面が、新聞（例えばブランケット判）の短辺方向（横幅）の４頁分に相当する長さ（Ｗ）の印刷領域を軸方向に有し、かつ、新聞の長辺方向（縦方向）の１頁分に相当する長さ（Ｌ）の印刷領域を周方向に有することを意味している。また、「４（Ｗ）×２（Ｌ）」とは、胴の周面が、新聞（例えばブランケット判）の短辺方向（横幅）の４頁分に相当する長さ（Ｗ）の印刷領域を軸方向に有し、かつ、新聞の長辺方向（縦方向）の２頁分に相当する長さ（Ｌ）の印刷領域を周方向に有することを意味している。このような４（Ｗ）×１（Ｌ）型オフセット輪転印刷機は、４（Ｗ）×２（Ｌ）の周面を有する版胴と、４（Ｗ）×２（Ｌ）の周面を有するブランケット胴とを備える一般的なオフセット輪転印刷機と比較して、使用する刷版の量を減らすことができると共に、輪転印刷機の小型化及び軽量化を図ることができ、また、消費電力を抑えることができるという様々な利点を有するものである。
【先行技術文献】
【特許文献】
【０００５】
【特許文献１】特許第５４６５８８６号公報
【発明の概要】
【発明が解決しようとする課題】
【０００６】
しかしながら、従来の４（Ｗ）×１（Ｌ）型オフセット輪転印刷機は、版胴の径が細く撓み易い上、図１０に示すように、刷版装着用溝１１２が版胴１１０の一端部１１０ａから他端部１１０ｂに亘って一本の直線状に形成されている。このため、印刷用ブランケット１０４，１０４が装着されたブランケット胴１２０と刷版１０２，１０２が装着された版胴１１０とが所定の印圧作用下で接触しながら回転している状態で、版胴１１０の刷版装着用溝１１２がブランケット胴１２０と対向すると、版胴１１０の長手方向の全域に亘って印圧変動が生じ、この衝撃で版胴１１０が大きく振動し、連続紙（被印刷体）の表面にショック目やダブリ等の印刷障害が生じるおそれがあるという問題がある。特に、特許文献１に開示された４（Ｗ）×１（Ｌ）型オフセット輪転印刷機は、図１０に示すように、版胴１１０からブランケット胴１２０への残留インキの転写を抑制するために、ブランケット１０４の周方向の中央部に軸方向に沿って延びる凹部１０６を設け、版胴１１０とブランケット胴１２０とが印圧作用下で接触しながら回転する際に、版胴１１０の刷版装着用溝１１２に装着されている刷版１０２，１０２の端部（咥え側端部及び咥え尻側端部）が、ブランケット胴１２０のブランケット装着用溝１２２及びブランケット１０４の凹部１０６と対向するよう構成されている。このような特許文献１の４（Ｗ）×１（Ｌ）型オフセット輪転印刷機では、ブランケット胴１２０のブランケット装着用溝１２２に起因する印圧変動だけでなく、ブランケット１０４の凹部１０６に起因する印圧変動も生じるため、より一層、版胴１１０が大きく振動し、連続紙（被印刷体）の表面にショック目やダブリ等の印刷障害が生じるおそれがある。また、このような版胴１１０の振動は、印刷障害だけでなく、版胴１１０や版胴１１０内に内蔵する刷版装着装置（図示せず）等の破損を引き起こすおそれがある。
【０００７】
本発明は、上述した従来技術の問題点に鑑みてなされたものであり、その目的は、４（Ｗ）×１（Ｌ）型オフセット輪転印刷機において、版胴の振動を抑制することが可能な版胴及び印刷胴対並びに該印刷胴対を備えるオフセット輪転印刷機を提供することにある。
【課題を解決するための手段】
【０００８】
本発明に係る版胴は、新聞の短辺方向の４頁分に相当する長さの印刷領域を軸方向に有し、かつ、新聞の長辺方向の１頁分に相当する長さの印刷領域を周方向に有する周面を有する円柱状の版胴であって、軸方向の一端部から中央部に亘って軸方向と平行に延びる第１刷版装着用溝と、軸方向の中央部から他端部に亘って軸方向と平行に延びる第２刷版装着用溝とを有し、前記第１刷版装着用溝と前記第２刷版装着用溝とが、前記版胴の周方向に所定の間隔をおいて形成されていることを特徴とする。
【０００９】
本発明に係る版胴において、前記第１刷版装着用溝と前記第２刷版装着用溝とが、前記版胴の周方向に１８０度の間隔をおいて形成されても良い。
【００１０】
また、本発明に係る印刷胴対は、新聞の短辺方向の４頁分に相当する長さの印刷領域を軸方向に有し、かつ、新聞の長辺方向の１頁分に相当する長さの印刷領域を周方向に有する周面を有する円柱状の版胴と、前記版胴の周方向の長さの整数倍の周方向の長さを有する周面を有する円柱状のブランケット胴とを備える印刷胴対であって、前記版胴は、該版胴の軸方向の一端部から中央部に亘って軸方向と平行に延びる第１刷版装着用溝と、該第１刷版装着用溝に対して前記版胴の周方向に所定の間隔をおいて形成され、前記版胴の軸方向の中央部から他端部に亘って軸方向と平行に延びる第２刷版装着用溝とを有し、前記ブランケット胴は、該ブランケット胴の軸方向の一端部から中央部に亘って軸方向と平行に延びる第１ブランケット装着用溝と、前記第１ブランケット装着用溝に対して前記ブランケット胴の周方向に所定の間隔をおいて形成され、前記ブランケット胴の軸方向の中央部から他端部に亘って軸方向と平行に延びる第２ブランケット装着用溝とを有し、前記ブランケット胴の周方向の長さが前記版胴の周方向の長さのＸ倍で、かつ、前記第１刷版装着用溝と前記第２刷版装着用溝との間隔が前記版胴の軸を中心としてα度であるとした場合に、前記第１ブランケット装着用溝と前記第２ブランケット装着用溝との間隔が、前記ブランケット胴の軸を中心としてα／Ｘ度となるよう構成されていることを特徴とする。
【００１１】
本発明に係る印刷胴対において、前記ブランケット胴は、前記版胴の周方向の長さの２倍の周方向の長さを有し、前記第１刷版装着用溝と前記第２刷版装着用溝とが、前記版胴の周方向に１８０度の間隔をおいて形成され、前記第１ブランケット装着用溝と前記第２ブランケット装着用溝とが、前記ブランケット胴の周方向に９０度の間隔をおいて形成されても良い。この場合において、前記第１ブランケット装着用溝及び前記第２ブランケット装着用溝は、それぞれ、前記ブランケット胴の周方向に１８０度の間隔をおいて２つ形成されても良い。
【００１２】
また、本発明に係る印刷胴対において、前記第１ブランケット装着用溝及び前記第２ブランケット装着用溝は、それぞれ、前記ブランケット胴の周方向に３６０／Ｘ度の間隔をおいて二以上形成されるとしても良い。
【００１３】
本発明に係るオフセット輪転印刷機は、上述した印刷胴対を備えることを特徴とする。
【発明の効果】
【００１４】
本発明によれば、４（Ｗ）×１（Ｌ）型オフセット輪転印刷機において、版胴の振動を抑制することが可能な版胴及び印刷胴対並びに該印刷胴対を備えるオフセット輪転印刷機を提供することができる。
【図面の簡単な説明】
【００１５】
【図１】本発明の第１実施形態に係る印刷胴対の概略構成を示す斜視図である。
【図２】図１に示す版胴が１８０度回転し、ブランケット胴が９０度回転した状態を示す斜視図である。
【図３】第１実施形態に係る版胴の第１刷版装着用溝及び第２刷版装着用溝の位相関係を示す概略構成図である。
【図４】第１実施形態に係るブランケット胴の第１ブランケット装着用溝及び第２ブランケット装着用溝の位相関係を示す概略構成図である。
【図５】第１実施形態に係る一対の印刷胴対の印刷稼働時の動作を示す工程図である。
【図６】本発明の第２実施形態に係る印刷胴対の概略構成を示す斜視図である。
【図７】図６に示す版胴が１８０度回転し、ブランケット胴が９０度回転した状態を示す斜視図である。
【図８】第２実施形態に係るブランケット胴の一対の第１ブランケット装着用溝の位相関係、一対の第２ブランケット装着用溝の位相関係、並びに、第１ブランケット装着用溝及び第２ブランケット装着用溝の位相関係を示す概略構成図である。
【図９】第２実施形態に係る一対の印刷胴対の印刷稼働時の動作を示す工程図である。
【図１０】従来の印刷胴対の概略構成を示す斜視図である。
【発明を実施するための形態】
【００１６】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
まず、本発明の第１実施形態に係るオフセット輪転印刷機について、図１〜図５を用いて説明する。第１実施形態に係るオフセット輪転印刷機は、４（Ｗ）×１（Ｌ）型オフセット輪転印刷機であり、連続紙（被印刷体）をロール状に巻いたロール紙をセットする連続紙供給ユニットと、連続紙供給ユニットから供給される連続紙の両面にオフセット印刷を施す印刷ユニットと、オフセット印刷後の連続紙を断裁して個々の枚葉状シートを形成すると共に、一枚の枚葉状シート又は複数の枚葉状シートからなる枚葉状シート群を折り畳んで折丁を形成する折機と、折機により形成された折丁を更に二つ折りする等の所定の処理を行い集積する後処理機構と、各構成の各種制御を実行する一又は複数の制御部とを備えている。なお、第１実施形態に係るオフセット輪転印刷機において、連続紙供給ユニット、折機、後処理機構及び制御部は、種々の公知のものを任意に用いることができるため、その説明を省略する。
【００１８】
印刷ユニットは、多数のインキ供給ローラーを有するインキ供給装置（図示せず）と、インキ供給装置から供給されたインキによって連続紙（被印刷体）に印刷を行う印刷胴対１とを備えている。また、印刷胴対１は、図１及び図２に示すように、刷版１２，１４が装着される版胴１０と、印刷用ブランケット２２，２４が装着されるブランケット胴２０とを備えている。
【００１９】
この印刷ユニットは、従来の印刷ユニットと同様に、版胴１０の刷版１２，１４とブランケット胴２０の印刷用ブランケット２２，２４とが接触した状態で印刷稼働回転することにより、インキ供給装置から供給されたインキが版胴１０の刷版１２，１４を介してブランケット胴２０の印刷用ブランケット２２，２４に供給され、印刷用ブランケット２２，２４が走行する連続紙（被印刷体）と所定の圧力で接触することにより、連続紙に刷版１２，１４の内容（文字や画像等）が転写されるよう構成されている。なお、第１実施形態に係る印刷ユニットにおいて、インキ供給装置は、種々の公知のものを任意に用いることができるため、その説明を省略する。また、図１、図２及び図５では、版胴１０の版胴本体１１及び刷版１２，１４と、ブランケット胴２０のブランケット胴本体２１及び印刷用ブランケット２２，２４のみを図示し、例えば版胴本体１１及びブランケット胴本体２１の両端部に設けられる取付け軸や、版胴１０の刷版装着用溝１１ａ，１１ｂ内に装備される刷版装着機構や、ブランケット胴２０のブランケット装着用溝２１ａ，２１ｂ内に装備されるブランケット装着機構等については、種々の公知の構造を採用できるため、図示を省略している。
【００２０】
版胴１０は、図１及び図２に示すように、円柱状に形成された版胴本体１１と、版胴本体１１の周面部分に軸方向に並べて２つ装着された刷版１２，１４とを備えている。なお、図２は、図１に示す状態から、版胴１０が半回転（１８０度回転）し、ブランケット胴
２０が４分の１回転（９０度回転）した状態を示している。
【００２１】
版胴本体１１は、新聞の短辺方向（横方向）の４頁分に相当する長さ（Ｗ）の印刷領域を軸方向に有し、かつ、新聞の長辺方向（縦方向）の１頁分に相当する長さ（Ｌ）の印刷領域を周方向に有する周面を有し、この周面部分に刷版１２，１４を軸方向に並べて２つ装着することが可能な所謂４（Ｗ）×１（Ｌ）型の回転体（１倍胴）である。この版胴本体１１は、その両端部にそれぞれ取付け軸（図示せず）が設けられており、これら取付け軸が軸受け（図示せず）を介してフレーム（図示せず）に取り付けられ、一方の取付け軸に接続される回転駆動手段（図示せず）により、ブランケット胴２０の周速度と同期して同速で回転駆動されるよう構成されている。
【００２２】
また、版胴本体１１は、図１及び図２に示すように、軸方向の一端部１０ａから軸方向の中央部（略中間位置）１０ｃに亘って開口する第１刷版装着用溝１１ａと、軸方向の中央部１０ｃから軸方向の他端部１０ｂに亘って開口する第２刷版装着用溝１１ｂとが形成されている。これら第１刷版装着用溝１１ａ及び第２刷版装着用溝１１ｂは、それぞれ、その溝内に刷版装着機構（図示せず）を装備する溝であり、版胴本体１１の軸方向長さの略半分の長さ、具体的には、新聞の短辺方向（横方向）の概ね２頁分に相当する長さを有し、版胴本体１１の軸方向と平行に延びるよう形成されている。
【００２３】
第１刷版装着用溝１１ａ及び第２刷版装着用溝１１ｂは、図１〜図３に示すように、版胴本体１１の軸方向に連続しないように、版胴本体１１の周方向に位置をずらして（周方向に所定の間隔をおいて）形成されている。すなわち、第２刷版装着用溝１１ｂは、第１刷版装着用溝１１ａに対して版胴本体１１の周方向に、版胴本体１１の軸を中心として任意の角度（α度）分だけ位置をずらして形成されている。第１実施形態に係る版胴本体１１では、第１刷版装着用溝１１ａ及び第２刷版装着用溝１１ｂは、版胴本体１１の周方向に１８０度（すなわち、α＝１８０度）の間隔をおいて形成されている。
【００２４】
刷版１２，１４は、金属製の可撓性を有する薄板材から形成されており、図１及び図２に示すように、長手方向の一方側の端縁部を折り曲げることにより形成された咥え側端部１７と、長手方向の他方側の端縁部を折り曲げることにより形成された咥え尻側端部１８とを備えている。刷版１２，１４は、版胴本体１１の軸方向長さの略半分の幅方向長さと、版胴本体１１の外周面に１周して装着可能な長手方向の長さとを有している。これら刷版１２，１４は、それぞれ、新聞の短辺方向の２頁分に相当する長さの印刷領域を幅方向に有し、かつ、新聞の長辺方向の１頁分に相当する長さの印刷領域を長手方向に有している。なお、刷版１２，１４は、公知の刷版を用いることができるため、その詳細な説明は省略する。また、刷版１２，１４は、版胴本体１１の軸方向長さの略４分の１の幅方向長さを有するものを用いても良く、この場合には、版胴本体１１の周面部分に軸方向に並べて４つ装着されることとなる。
【００２５】
一方の刷版１２は、図１及び図２に示すように、咥え側端部１７及び咥え尻側端部１８が版胴本体１１の第１刷版装着用溝１１ａ内に差入れられ、第１刷版装着用溝１１ａ内に装備された刷版装着機構（図示せず）によって溝内に引き込まれることにより、第１刷版装着用溝１１ａが形成された側の版胴本体１１の外周面に均等に緊張した状態で装着されるよう構成されている。また、他方の刷版１４は、図１及び図２に示すように、咥え側端部１７及び咥え尻側端部１８が版胴本体１１の第２刷版装着用溝１１ｂ内に差入れられ、第２刷版装着用溝１１ｂ内に装備された刷版装着機構（図示せず）によって溝内に引き込まれることにより、第２刷版装着用溝１１ｂが形成された側の版胴本体１１の外周面に均等に緊張した状態で装着されるよう構成されている。
【００２６】
ブランケット胴２０は、図１及び図２に示すように、円柱状に形成されたブランケット胴本体２１と、ブランケット胴本体２１の周面部分に軸方向に並べて２つ装着された印刷用ブランケット２２，２４とを備えている。
【００２７】
ブランケット胴本体２１は、版胴本体１１の軸方向の長さと概ね同じ軸方向の長さを有し、かつ、版胴本体１１の周方向の長さのＸ倍（Ｘは２以上の任意の整数）の周方向の長さを有する円柱状の回転体である。第１実施形態では、ブランケット胴本体２１は、新聞の短辺方向（横方向）の４頁分に相当する長さ（Ｗ）の印刷領域を軸方向に有し、かつ、新聞の長辺方向（縦方向）の２頁分に相当する長さ（Ｌ）の印刷領域を周方向に有する周面を有し、この周面部分に印刷用ブランケット２２，２４を軸方向に並べて２つ装着することが可能な所謂４（Ｗ）×２（Ｌ）型の回転体（２倍胴）である。このブランケット胴本体２１は、その両端部にそれぞれ取付け軸（図示せず）が設けられており、これら取付け軸が軸受け（図示せず）を介してフレーム（図示せず）に取り付けられ、一方の取付け軸に接続される回転駆動手段（図示せず）により、版胴１０の周速度と同期して同速で回転駆動されるよう構成されている。
【００２８】
また、ブランケット胴本体２１は、図１及び図２に示すように、軸方向の一端部２０ａから軸方向の中央部（略中間位置）２０ｃに亘って開口する第１ブランケット装着用溝２１ａと、軸方向の中央部２０ｃから軸方向の他端部２０ｂに亘って開口する第２ブランケット装着用溝２１ｂとが形成されている。これら第１ブランケット装着用溝２１ａ及び第２ブランケット装着用溝２１ｂは、それぞれ、その溝内にブランケット装着機構（図示せず）を装備する溝であり、ブランケット胴本体２１の軸方向長さの略半分の長さ、具体的には、新聞の短辺方向（横方向）の概ね２頁分に相当する長さを有し、ブランケット胴本体２１の軸方向と平行に延びるよう形成されている。
【００２９】
第１ブランケット装着用溝２１ａは、版胴１０の第１刷版装着用溝１１ａと対応する周方向の位置に形成され、第２ブランケット装着用溝２１ｂは、版胴１０の第２刷版装着用溝１１ｂと対応する周方向の位置に形成されている。具体的には、第１ブランケット装着用溝２１ａ及び第２ブランケット装着用溝２１ｂは、図１、図２及び図４に示すように、ブランケット胴本体２１の周方向の長さが版胴本体１１の周方向の長さのＸ倍で、かつ、第１刷版装着用溝１１ａと第２刷版装着用溝１１ｂとの間隔が版胴本体１１の軸を中心としてα度であるとした場合に、これら第１ブランケット装着用溝２１ａと第２ブランケット装着用溝２１ｂとの間隔がブランケット胴本体２１の軸を中心として「α／Ｘ」度（図４中のβ）となるよう、ブランケット胴本体２１の周方向に位置をずらして形成されている。第１実施形態に係る印刷胴対１では、ブランケット胴本体２１の周方向の長さが版胴本体１１の周方向の長さの２倍（すなわち、Ｘ＝２）で、第１刷版装着用溝１１ａと第２刷版装着用溝１１ｂとの間隔が１８０度（すなわち、α＝１８０）であるため、第１ブランケット装着用溝２１ａと第２ブランケット装着用溝２１ｂとの間隔は、ブランケット胴本体２１の軸を中心として９０度（すなわち、β＝９０）となるよう設定される。すなわち、第１実施形態に係るブランケット胴本体２１では、第２ブランケット装着用溝２１ｂが、図４に示すように、第１ブランケット装着用溝２１ａに対してブランケット胴本体２１の周方向に９０度の間隔をおいて形成されている。
【００３０】
印刷用ブランケット２２，２４は、布製のシート材からなる基布層と、基布層上に積層された弾性層とを備えるシート状ブランケットであり、図１及び図２に示すように、長手方向の各端部にブランケット胴本体２１に対する取付部２６，２８が設けられている。印刷用ブランケット２２，２４は、ブランケット胴本体２１の軸方向長さの略半分の幅方向長さと、ブランケット胴本体２１の外周面に１周して装着可能な長手方向長さとを有している。具体的には、印刷用ブランケット２２，２４は、それぞれ、新聞の短辺方向の２頁分に相当する長さを幅方向に有し、かつ、新聞の長辺方向の２頁分に相当する長さを長手方向に有している。なお、印刷用ブランケット２２，２４は、公知のブランケットを用いることができるため、その詳細な説明は省略する。また、印刷用ブランケット２２，２４は、ブランケット胴本体２１の軸方向長さの略４分の１の幅方向長さを有するものを用いても良く、この場合には、ブランケット胴本体２１の周面部分に軸方向に並べて４つ装着されることとなる。
【００３１】
一方の印刷用ブランケット２２は、図１及び図２に示すように、取付部２６，２８がブランケット胴本体２１の第１ブランケット装着用溝２１ａ内に差入れられ、第１ブランケット装着用溝２１ａ内に装備されたブランケット装着機構（図示せず）によって溝内に引き込まれることにより、第１ブランケット装着用溝２１ａが形成された側のブランケット胴本体２１の外周面に均等に緊張した状態で装着されるよう構成されている。また、他方の印刷用ブランケット２４は、図１及び図２に示すように、取付部２６，２８がブランケット胴本体２１の第２ブランケット装着用溝２１ｂ内に差入れられ、第２ブランケット装着用溝２１ｂ内に装備されたブランケット装着機構（図示せず）によって溝内に引き込まれることにより、第２ブランケット装着用溝２１ｂが形成された側のブランケット胴本体２１の外周面に均等に緊張した状態で装着されるよう構成されている。
【００３２】
第１実施形態に係るオフセット輪転印刷機は、図５（ａ）〜図５（ｄ）に示すように、刷版１２，１４が装着された版胴１０と、印刷用ブランケット２２，２４が装着されたブランケット胴２０とを、一組の印刷胴対１として組み合わせ、印刷稼働時に、二組の印刷胴対１が、それぞれのブランケット胴２０に装着された印刷用ブランケット２２，２４の外周面を、例えば連続紙である被印刷体Ｗを介して、互いに押付けられて接触させられ、互いに周面の接触位置が被印刷体Ｗを走行させる方向に変位して回転するよう構成されている。
【００３３】
具体的には、両ブランケット胴２０，２０は、図５（ａ）〜図５（ｄ）に示すように、印刷稼動回転時において、第１ブランケット装着用溝２１ａ，２１ａ同士、及び、第２ブランケット装着用溝２１ｂ，２１ｂ同士が、被印刷体Ｗを介して互いに相対する関係で配されている。これら両ブランケット胴２０，２０は、互いに逆方向に同速で回転するよう駆動制御されている。
【００３４】
各版胴１０は、図５（ａ）〜図５（ｄ）に示すように、版胴１０に装着された刷版１２，１４の版面がブランケット胴２０に装着された印刷用ブランケット２２，２４の外周面と接触するよう、各ブランケット胴２０に近設されている。各版胴１０は、対応するブランケット胴２０と逆方向に同速で回転するよう、すなわち、刷版１２，１４の版面と印刷用ブランケット２２，２４の外周面との接触周面が同一方向に変位して回転するよう駆動制御されている。第１実施形態に係る印刷胴対１では、版胴１０が１倍胴であり、ブランケット胴２０が２倍胴であることから、ブランケット胴２０が１回転したときに版胴１０が２回転するよう構成されている。
【００３５】
また、各版胴１０は、印刷稼動回転時における第１の回転位置において、図５（ａ）に示すように、第１刷版装着用溝１１ａがブランケット胴２０の第１ブランケット装着用溝２１ａと相対し、印刷稼動回転時における第２の回転位置において、図５（ｄ）に示すように、第２刷版装着用溝１１ｂがブランケット胴２０の第２ブランケット装着用溝２１ｂと相対する位相関係となるよう配されている。なお、図５（ａ）は、版胴１０の第１刷版装着用溝１１ａがブランケット胴２０の第１ブランケット装着用溝２１ａと相対（対向）した状態を示しており、図５（ｂ）は、図５（ａ）に示す状態から版胴１０が半回転（１８０度回転）し、ブランケット胴２０が４分の１回転（９０度回転）した状態を示している。また、図５（ｃ）は図５（ｂ）に示す状態を基準として、図５（ｄ）は図５（ｃ）に示す状態を基準として、それぞれ、版胴１０が半回転（１８０度回転）し、ブランケット胴２０が４分の１回転（９０度回転）した状態を示している。第１実施形態に係る印刷胴対１では、このような位相関係となるよう版胴１０及びブランケット胴２０が配置されることにより、例えば図５（ａ）に示すように、版胴１０の第１刷版装着用溝１１ａがブランケット胴２０の第１ブランケット装着用溝２１ａと対向する第１の回転位置では、版胴１０の第２刷版装着用溝１１ｂがブランケット胴２０の第２ブランケット装着用溝２１ｂと対向せず、一方、図５（ｄ）に示すように、版胴１０の第２刷版装着用溝１１ｂがブランケット胴２０の第２ブランケット装着用溝２１ｂと対向する第２の回転位置では、版胴１０の第１刷版装着用溝１１ａがブランケット胴２０の第１ブランケット装着用溝２１ａと対向しない構成とすることができる。
【００３６】
以上説明したとおり、第１実施形態に係る版胴１０は、新聞の短辺方向の４頁分に相当する長さの印刷領域を軸方向に有し、かつ、新聞の長辺方向の１頁分に相当する長さの印刷領域を周方向に有する周面を有する円柱状の版胴であって、軸方向の一端部１０ａから中央部１０ｃに亘って軸方向と平行に延びる第１刷版装着用溝１１ａと、軸方向の中央部１０ｃから他端部１０ｂに亘って軸方向と平行に延びる第２刷版装着用溝１１ｂとを有し、第１刷版装着用溝１１ａと第２刷版装着用溝１１ｂとが、版胴１０の周方向に所定の間隔をおいて形成されている。このような版胴１０によれば、版胴１０側に形成された溝（第１刷版装着用溝１１ａ及び第２刷版装着用溝１１ｂ）とブランケット胴２０側に形成された溝（第１ブランケット装着用溝２１ａ及び第２ブランケット装着用溝２１ｂ）に起因する印圧変動を最小限に抑え、印刷稼動回転時における版胴１０の振動を抑制することが可能となるため、ショック目やダブリ等の印刷障害や、版胴１０及びその内蔵部材等の破損の発生を飛躍的に低減させることができる。
【００３７】
すなわち、例えば図１０に示す従来の版胴１１０では、既述のとおり、刷版装着用溝１１２が版胴１１０の一端部１１０ａから他端部１１０ｂに亘って一本の直線状に形成されているため、印刷稼動回転時に版胴１１０の刷版装着用溝１１２がブランケット胴１２０と対向する度に版胴１１０の長手方向の全域に亘って印圧変動が生じ、この衝撃で版胴１１０が大きく振動する。これに対し、第１実施形態に係る版胴１０は、第１刷版装着用溝１１ａ及び第２刷版装着用溝１１ｂが、版胴本体１１の軸方向に連続しないように版胴本体１１の周方向に所定の間隔をおいて形成されており、これにより、第１刷版装着用溝１１ａ及び第２刷版装着用溝１１ｂの一方がブランケット胴２０の溝（第１ブランケット装着用溝２１ａ又は第２ブランケット装着用溝２１ｂ）と対向した際に、第１刷版装着用溝１１ａ及び第２刷版装着用溝１１ｂの他方がブランケット胴２０の溝と対向しないよう構成されている。このような第１実施形態に係る版胴１０によれば、例えば第１刷版装着用溝１１ａがブランケット胴２０の第１ブランケット装着用溝２１ａと対向し、第１刷版装着用溝１１ａが形成された側の転写圧が一瞬抜けたとしても、第２刷版装着用溝１１ｂが形成された側の転写圧を維持することができるため、版胴１０の振動を効果的に抑制することができる。
【００３８】
次に、本発明の第２実施形態に係るオフセット輪転印刷機について、図６〜図９を用いて説明する。なお、第２実施形態に係るオフセット輪転印刷機において、ブランケット胴５０以外の構成は、第１実施形態に係るオフセット輪転印刷機と同様の構成を採用することが可能であるため、版胴については第１実施形態と同一符号を用いることでその説明を省略し、その他の構成については説明を省略する。
【００３９】
第２実施形態に係るブランケット胴５０は、図６及び図７に示すように、円柱状に形成されたブランケット胴本体５１と、ブランケット胴本体５１の周面部分に周方向及び軸方向にそれぞれ並べて２つずつ装着された計４つの印刷用ブランケット５２，５２´，５４，５４´とを備えている。
【００４０】
ブランケット胴本体５１は、版胴本体１１の軸方向の長さと概ね同じ軸方向の長さを有し、かつ、版胴本体１１の周方向の長さのＸ倍（Ｘは２以上の任意の整数）の周方向の長さを有する円柱状の回転体である。第２実施形態では、ブランケット胴本体５１は、新聞の短辺方向（横方向）の４頁分に相当する長さ（Ｗ）の印刷領域を軸方向に有し、かつ、新聞の長辺方向（縦方向）の２頁分に相当する長さ（Ｌ）の印刷領域を周方向に有する周面を有し、この周面部分に周方向及び軸方向にそれぞれ並べて２つずつ印刷用ブランケット５２，５２´，５４，５４´を装着することが可能な所謂４（Ｗ）×２（Ｌ）型の回転体（２倍胴）である。このブランケット胴本体５１は、その両端部にそれぞれ取付け軸（図示せず）が設けられており、これら取付け軸が軸受け（図示せず）を介してフレーム（図示せず）に取り付けられ、一方の取付け軸に接続される回転駆動手段（図示せず）により、版胴１０の周速度と同期して同速で回転駆動されるよう構成されている。
【００４１】
また、ブランケット胴本体５１は、図６及び図７に示すように、軸方向の一端部５０ａから軸方向の中央部（略中間位置）５０ｃに亘って開口する第１ブランケット装着用溝５１ａ，５１ａ´と、軸方向の中央部５０ｃから軸方向の他端部５０ｂに亘って開口する第２ブランケット装着用溝５１ｂ，５１ｂ´とが、それぞれ一対ずつ形成されている。これら第１ブランケット装着用溝５１ａ，５１ａ´及び第２ブランケット装着用溝５１ｂ，５１ｂ´は、それぞれ、その溝内にブランケット装着機構（図示せず）を装備する溝であり、ブランケット胴本体５１の軸方向長さの略半分の長さ、具体的には、新聞の短辺方向（横方向）の概ね２頁分に相当する長さを有し、ブランケット胴本体５１の軸方向と平行に延びるよう形成されている。
【００４２】
第１ブランケット装着用溝５１ａ，５１ａ´は、それぞれ、版胴１０の第１刷版装着用溝１１ａと対応する周方向の位置に形成され、第２ブランケット装着用溝５１ｂ，５１ｂ´は、それぞれ、版胴１０の第２刷版装着用溝１１ｂと対応する周方向の位置に形成されている。
【００４３】
具体的には、第１ブランケット装着用溝５１ａ，５１ａ´及び第２ブランケット装着用溝５１ｂ，５１ｂ´は、ブランケット胴本体５１の周方向の長さが版胴本体１１の周方向の長さのＸ倍であるとした場合に、それぞれ、ブランケット胴５０の周方向に「３６０／Ｘ」度（図８中のγ）の間隔をおいて、Ｘ個形成される。第２実施形態に係る印刷胴対１´では、第１実施形態に係る印刷胴対１と同様に、ブランケット胴本体５１の周方向の長さが版胴本体１１の周方向の長さの２倍（すなわち、Ｘ＝２）であるため、第１ブランケット装着用溝５１ａ，５１ａ´及び第２ブランケット装着用溝５１ｂ，５１ｂ´は、それぞれ、ブランケット胴５０の周方向に１８０度（すなわち、γ＝１８０）の間隔をおいて２つずつ形成されている。
【００４４】
また、第１ブランケット装着用溝５１ａ，５１ａ´及び第２ブランケット装着用溝５１ｂ，５１ｂ´は、ブランケット胴本体５１の周方向の長さが版胴本体１１の周方向の長さのＸ倍で、かつ、第１刷版装着用溝１１ａと第２刷版装着用溝１１ｂとの間隔が版胴本体１１の軸を中心としてα度であるとした場合に、周方向に隣接する第１ブランケット装着用溝（５１ａ又は５１ａ´）と第２ブランケット装着用溝（５１ｂ又は５１ｂ´）との間隔が、それぞれ、ブランケット胴本体５１の軸を中心として「α／Ｘ」度（図８中のβ）となるよう、ブランケット胴本体５１の周方向に位置をずらして形成される。第２実施形態に係る印刷胴対１´では、第１実施形態に係る印刷胴対１と同様に、ブランケット胴本体５１の周方向の長さが版胴本体１１の周方向の長さの２倍（すなわち、Ｘ＝２）で、第１刷版装着用溝１１ａと第２刷版装着用溝１１ｂとの間隔が１８０度（すなわち、α＝１８０）であるため、周方向に隣接する第１ブランケット装着用溝（５１ａ又は５１ａ´）と第２ブランケット装着用溝（５１ｂ又は５１ｂ´）との間隔は、それぞれ、ブランケット胴本体５１の軸を中心として９０度（すなわち、β＝９０）となるよう設定される。すなわち、第２実施形態に係るブランケット胴本体５１では、図８に示すように、一方の第２ブランケット装着用溝５１ｂが、一方の第１ブランケット装着用溝５１ａに対してブランケット胴本体５１の周方向に９０度の間隔をおいて形成され、他方の第２ブランケット装着用溝５１ｂ´が、他方の第１ブランケット装着用溝５１ａ´に対してブランケット胴本体５１の周方向に９０度の間隔をおいて形成されている。
【００４５】
印刷用ブランケット５２，５２´，５４，５４´は、布製のシート材からなる基布層と、基布層上に積層された弾性層とを備えるシート状ブランケットであり、図６及び図７に示すように、長手方向の各端部にブランケット胴本体５１に対する取付部５６，５８が設けられている。印刷用ブランケット５２，５２´，５４，５４´は、ブランケット胴本体５１の軸方向長さの略半分の幅方向長さと、ブランケット胴本体５１の外周面の略半分の領域を覆うことが可能な長手方向長さとを有している。具体的には、印刷用ブランケット５２，５２´，５４，５４´は、それぞれ、新聞の短辺方向の２頁分に相当する長さを幅方向に有し、かつ、新聞の長辺方向の１頁分に相当する長さを長手方向に有している。なお、印刷用ブランケット５２，５２´，５４，５４´は、公知のブランケットを用いることができるため、その詳細な説明は省略する。また、印刷用ブランケット５２，５２´，５４，５４´は、ブランケット胴本体５１の軸方向長さの略４分の１の幅方向長さを有するものを用いても良く、この場合には、ブランケット胴本体５１の周面部分に周方向に２つ、軸方向に４つ並べて、計８つ装着されることとなる。
【００４６】
第１ブランケット装着用溝５１ａ，５１ａ´が形成された側のブランケット胴本体５１の外周面に装着される印刷用ブランケット５２，５２´は、図６及び図７に示すように、一方の取付部５６が第１ブランケット装着用溝５１ａ，５１ａ´のいずれか一方に差入れられ、他方の取付部５８が第１ブランケット装着用溝５１ａ，５１ａ´のいずれか他方に差入れられた状態で、第１ブランケット装着用溝５１ａ，５１ａ´内にそれぞれ装備されたブランケット装着機構（図示せず）によって溝内に引き込まれることにより、ブランケット胴本体５１の外周面に均等に緊張した状態で装着されるよう構成されている。また、第２ブランケット装着用溝５１ｂ，５１ｂ´が形成された側のブランケット胴本体５１の外周面に装着される印刷用ブランケット５４，５４´は、図６及び図７に示すように、一方の取付部５６が第２ブランケット装着用溝５１ｂ，５１ｂ´のいずれか一方に差入れられ、他方の取付部５８が第２ブランケット装着用溝５１ｂ，５１ｂ´のいずれか他方に差入れられた状態で、第２ブランケット装着用溝５１ｂ，５１ｂ´内にそれぞれ装備されたブランケット装着機構（図示せず）によって溝内に引き込まれることにより、ブランケット胴本体５１の外周面に均等に緊張した状態で装着されるよう構成されている。
【００４７】
第２実施形態に係るオフセット輪転印刷機は、図９（ａ）〜図９（ｄ）に示すように、刷版１２，１４が装着された版胴１０と、印刷用ブランケット５２，５２´，５４，５４´が装着されたブランケット胴５０とを、一組の印刷胴対１´として組み合わせ、印刷稼働時に、二組の印刷胴対１´が、それぞれのブランケット胴５０に装着された印刷用ブランケット５２，５２´，５４，５４´の外周面を、例えば連続紙である被印刷体Ｗを介して、互いに押付けられて接触させられ、互いに周面の接触位置が被印刷体Ｗを走行させる方向に変位して回転するよう構成されている。
【００４８】
具体的には、両ブランケット胴５０，５０は、図９（ａ）〜図９（ｄ）に示すように、印刷稼動回転時において、第１ブランケット装着用溝５１ａ，５１ａ´，５１ａ，５１ａ´同士、及び、第２ブランケット装着用溝５１ｂ，５１ｂ´，５１ｂ，５１ｂ´同士が、被印刷体Ｗを介して互いに相対する関係で配されている。これら両ブランケット胴５０，５０は、互いに逆方向に同速で回転するよう駆動制御されている。
【００４９】
各版胴１０は、図９（ａ）〜図９（ｄ）に示すように、版胴１０に装着された刷版１２，１４の版面がブランケット胴５０に装着された印刷用ブランケット５２，５２´，５４，５４´の外周面と接触するよう、各ブランケット胴５０に近設されている。各版胴１０は、対応するブランケット胴５０と逆方向に同速で回転するよう、すなわち、刷版１２，１４の版面と印刷用ブランケット５２，５２´，５４，５４´の外周面との接触周面が同一方向に変位して回転するよう駆動制御されている。第２実施形態に係る印刷胴対１´では、版胴１０が１倍胴であり、ブランケット胴５０が２倍胴であることから、ブランケット胴５０が１回転したときに版胴１０が２回転するよう構成されている。
【００５０】
また、各版胴１０は、印刷稼動回転時における第１の回転位置において、図９（ａ）に示すように、第１刷版装着用溝１１ａがブランケット胴５０の一方の第１ブランケット装着用溝５１ａと相対し、この第１の回転位置から版胴１０が半回転（１８０度回転）した回転位置において、図９（ｂ）に示すように、第２刷版装着用溝１１ｂがブランケット胴５０の一方の第２ブランケット装着用溝５１ｂと相対し、この回転位置から版胴１０がさらに半回転（１８０度回転）した回転位置において、図９（ｃ）に示すように、第１刷版装着用溝１１ａがブランケット胴５０の他方の第１ブランケット装着用溝５１ａ´と相対し、この回転位置から版胴１０がさらに半回転（１８０度回転）した回転位置において、図９（ｄ）に示すように、第２刷版装着用溝１１ｂがブランケット胴５０の他方の第２ブランケット装着用溝５１ｂ´と相対する位相関係となるよう配されている。
【００５１】
第２実施形態に係る印刷胴対１´では、このような位相関係となるよう版胴１０及びブランケット胴５０が配置されることにより、第１実施形態に係る印刷胴対１と同様に、図９（ａ）及び図９（ｃ）に示すように、版胴１０の第１刷版装着用溝１１ａがブランケット胴５０の第１ブランケット装着用溝５１ａ，５１ａ´と対向する回転位置では、版胴１０の第２刷版装着用溝１１ｂがブランケット胴５０の第２ブランケット装着用溝５１ｂ，５１ｂ´と対向せず、一方、図９（ｂ）及び図９（ｄ）に示すように、版胴１０の第２刷版装着用溝１１ｂがブランケット胴５０の第２ブランケット装着用溝５１ｂ，５１ｂ´と対向する回転位置では、版胴１０の第１刷版装着用溝１１ａがブランケット胴５０の第１ブランケット装着用溝５１ａ，５１ａ´と対向しない構成とすることができる。このため、第２実施形態に係るオフセット輪転印刷機によれば、第１実施形態に係るオフセット輪転印刷機と同様に、版胴１０側に形成された溝（第１刷版装着用溝１１ａ及び第２刷版装着用溝１１ｂ）とブランケット胴５０側に形成された溝（第１ブランケット装着用溝５１ａ，５１ａ´及び第２ブランケット装着用溝５１ｂ，５１ｂ´）に起因する印圧変動を抑え、印刷稼動回転時における版胴１０の振動を抑制することが可能となるため、ショック目やダブリ等の印刷障害や、版胴１０及びその内蔵部材等の破損の発生を低減させることができる。
【００５２】
また、第２実施形態に係るオフセット輪転印刷機では、第１ブランケット装着用溝５１ａ，５１ａ´及び第２ブランケット装着用溝５１ｂ，５１ｂ´が、それぞれ、ブランケット胴５０の周方向に１８０度（「３６０／Ｘ」度）の間隔をおいて２つ（Ｘ個）形成されている。このようなオフセット輪転印刷機によれば、刷版１２，１４の折曲げ位置近傍の刷版１２，１４面上に残留するインキが印刷用ブランケット５２，５２´，５４，５４´の面に転写されることを効果的に抑制することができ、これにより、残留インキが印刷用ブランケット５２，５２´，５４，５４´を介して被印刷体Ｗの表面に印刷されることを防止することができる。
【００５３】
すなわち、通常、刷版装着用溝を有する版胴を用いて印刷稼働が行われると、印刷胴対の回転により、版胴に装着された刷版の版面に押付けられて回転するインキ供給装置のインキ供給ローラーによって、刷版の版面にインキが供給される。また、インキ供給ローラーは、版胴が回転しインキ供給ローラーが押付けられている位置に刷版装着用溝が設けられた周面が到達するたびに、押付け圧によって、刷版の外周面が刷版装着用溝に沿って形成する凹みにその一方縁から落ち込み、次いで凹みの他方縁から刷版面に乗上げる動作を繰り返す。そして、この刷版面への乗上げの際に、インキ供給ローラーが当該凹みの他方縁に沿って陵部を形成する刷版の折曲げ位置に衝撃的に接触し、これにより、刷版の折曲げ位置近傍の刷版面上にインキが残留する。このため、残留インキに対する転写抑制の対策が取られていない通常のオフセット輪転印刷機では、刷版の端部に残留するインキが印刷ブランケットを介して被印刷体の表面に印刷されてしまい、印刷品質を低下されるおそれがある。
【００５４】
これに対し、第２実施形態に係るオフセット輪転印刷機では、図９（ａ）〜図９（ｄ）に示すように、版胴１０の第１刷版装着用溝１１ａ及び第２刷版装着用溝１１ｂとブランケット胴５０の第１ブランケット装着用溝５１ａ，５１ａ´及び第２ブランケット装着用溝５１ｂ，５１ｂ´とが印刷稼動回転時に一致するよう構成されているため、刷版１２，１４の折曲げ位置近傍の刷版１２，１４面上に残留するインキが印刷用ブランケット５２，５２´，５４，５４´の面に転写されることを効果的に抑制することができ、これにより、残留インキが印刷用ブランケット５２，５２´，５４，５４´を介して被印刷体Ｗの表面に印刷されることを効果的に防止することができる。
【００５５】
以上、本発明の好適な実施形態について説明したが、本発明の技術的範囲は、上述した実施形態に記載の範囲には限定されない。上記各実施形態には、多様な変更又は改良を加えることが可能である。
【００５６】
例えば、上述した実施形態における説明では、印刷用ブランケットが、布製のシート材からなる基布層と、基布層上に積層された弾性層とを備えるものとして説明したが、これに限定されず、種々の印刷用ブランケットを用いることが可能である。
【００５７】
また、上述した実施形態における説明では、ブランケット胴２０，５０が４（Ｗ）×２（Ｌ）の周面を有する２倍胴であるものとして説明したが、これに限定されず、ブランケット胴の周長は、版胴の周長の整数倍であれば良い。
【００５８】
さらに、上述した実施形態における説明では、第１刷版装着用溝１１ａ及び第２刷版装着用溝１１ｂが、版胴本体１１の周方向に１８０度の間隔をおいて形成されるものとして説明したが、これに限定されず、第１刷版装着用溝１１ａ及び第２刷版装着用溝１１ｂとの間隔は、任意に設定することができる。
【符号の説明】
【００５９】
１  印刷胴対、１０  版胴、１１ａ  第１刷版装着用溝、１１ｂ  第２刷版装着用溝、２０，５０  ブランケット胴、２１ａ，５１ａ，５１ａ´  第１ブランケット装着用溝、２１ｂ，５１ｂ，５１ｂ´  第２ブランケット装着用溝
【図１】
2016047641.tif 000003
【図２】
2016047641.tif 000004
【図３】
2016047641.tif 000005
【図４】
2016047641.tif 000006
【図５】
2016047641.tif 000007
【図６】
2016047641.tif 000008
【図７】
2016047641.tif 000009
【図８】
2016047641.tif 000010
【図９】
2016047641.tif 000011
【図１０】
2016047641.tif 000012
【手続補正書】
【提出日】平成27年7月27日(2015.7.27)
【手続補正２】
【補正対象書類名】特許請求の範囲
【補正対象項目名】全文
【補正方法】変更
【補正の内容】
【特許請求の範囲】
【請求項１】
新聞の短辺方向の４頁分に相当する長さの印刷領域を軸方向に有し、かつ、新聞の長辺方向の１頁分に相当する長さの印刷領域を周方向に有する周面を有する円柱状の版胴と、前記版胴の周方向の長さの２倍の周方向の長さを有する周面を有する円柱状のブランケット胴とを備える印刷胴対であって、
前記版胴は、該版胴の軸方向の一端部から中央部に亘って軸方向と平行に延びる第１刷版装着用溝と、該第１刷版装着用溝に対して前記版胴の周方向に所定の間隔をおいて形成され、前記版胴の軸方向の中央部から他端部に亘って軸方向と平行に延びる第２刷版装着用溝とを有し、
前記第１刷版装着用溝及び前記第２刷版装着用溝は、前記版胴の周方向に１８０度の間隔をおいて形成され、
前記ブランケット胴は、該ブランケット胴の軸方向の一端部から中央部に亘って軸方向と平行に延びる第１ブランケット装着用溝と、前記第１ブランケット装着用溝に対して前記ブランケット胴の周方向に所定の間隔をおいて形成され、前記ブランケット胴の軸方向の中央部から他端部に亘って軸方向と平行に延びる第２ブランケット装着用溝とを有し、
前記第１ブランケット装着用溝は、前記ブランケット胴の軸方向の一端部から中央部に至る領域において、該ブランケット胴の周方向に１８０度の間隔をおいて二つ形成され、
前記第２ブランケット装着用溝は、前記ブランケット胴の軸方向の中央部から他端部に至る領域において、該ブランケット胴の周方向に１８０度の間隔をおいて二つ形成され、
一方の前記第１ブランケット装着用溝は、一方の前記第２ブランケット装着用溝に対して前記ブランケット胴の周方向に９０度の間隔をおいて形成され、他方の前記第１ブランケット装着用溝は、他方の前記第２ブランケット装着用溝に対して前記ブランケット胴の周方向に９０度の間隔をおいて形成されている
ことを特徴とする印刷胴対。
【請求項２】
請求項１に記載の印刷胴対であって、
前記ブランケット胴は、
前記ブランケット胴の軸方向の一端部から中央部に至る領域において、一方の前記第１ブランケット装着用溝と他方の前記第１ブランケット装着用溝との間にそれぞれ設けられた印刷用ブランケットと、
前記ブランケット胴の軸方向の中央部から他端部に至る領域において、一方の前記第２ブランケット装着用溝と他方の前記第２ブランケット装着用溝との間にそれぞれ設けられた印刷用ブランケットとを備え、
前記印刷用ブランケットは、それぞれ、布製のシート材からなる基布層と、該基布層上に積層された弾性層とを備えるシート状ブランケットである
ことを特徴とする印刷胴対。
【請求項３】
請求項１又は２に記載の印刷胴対を備える
ことを特徴とするオフセット輪転印刷機。